(57)【要約】【課題】雌型ボタンに対する雄型ボタンの柱部の挿入の有無に関わらず常にロック感覚を与えることは、雌型ボタンと雄型ボタンが結合していないにも関わらず雌型ボタンと雄型ボタンが結合したと誤認識してしまうおそれがある。【解決手段】雌型ボタン１００は、回転子１４０が第１位置の時、雄型ボタン２００の柱部２１０の挿脱が許容される非ロック状態にあり、回転子１４０が第２位置の時、雄型ボタン２００の柱部２１０の挿脱が許容されないロック状態にある。第２位置に向かう回転子１４０の回転に際して回転子１４０が第２位置に到達する前に回転軸ＡＸに向かう制止片１１０の変位を生じさせる隆起部１７０が制止片１１０又は弾性部材１２０に設けられ、前述の回転軸ＡＸに向かう制止片１１０の変位が柱部２１０により阻止されるならば回転子１４０の回転抵抗が高められる。【選択図】図１１
2018158023.tif 000002
【特許請求の範囲】
【請求項１】
回転子（１４０）が第１位置の時、雄型ボタン（２００）の柱部（２１０）の挿脱が許容される非ロック状態にあり、前記回転子（１４０）が第２位置の時、前記雄型ボタン（２００）の柱部（２１０）の挿脱が許容されないロック状態にある雌型ボタン（１００）であって、
前記雄型ボタン（２００）の柱部（２１０）を制止するための少なくとも一つの制止片（１１０）にして、前記回転子（１４０）が前記第１位置の時、前記回転子（１４０）の回転軸（ＡＸ）の径方向外側への前記制止片（１１０）の変位が許容され、前記回転子（１４０）が前記第２位置の時、前記回転子（１４０）の回転軸（ＡＸ）の径方向外側への前記制止片（１１０）の変位が阻止される、少なくとも一つの制止片（１１０）と、
前記回転子（１４０）の回転軸（ＡＸ）に関して前記少なくとも一つの制止片（１１０）よりも径方向外側に配される少なくとも一つの弾性部材（１２０）を備え、
前記第２位置に向かう前記回転子（１４０）の回転に際して前記回転子（１４０）が前記第２位置に到達する前に前記回転軸（ＡＸ）に向かう前記制止片（１１０）の変位を生じさせる隆起部（１７０）が前記制止片（１１０）又は前記弾性部材（１２０）に設けられ、前述の回転軸（ＡＸ）に向かう前記制止片（１１０）の変位が前記柱部（２１０）により阻止されるならば前記回転子（１４０）の回転抵抗が高められる、雌型ボタン。
【請求項２】
前記第１位置に向かう前記回転子（１４０）の回転に際して前記回転子（１４０）が前記第１位置に到達する前に前記回転子（１４０）の回転抵抗が高められる、請求項１に記載の雌型ボタン。
【請求項３】
前記少なくとも一つの制止片（１１０）として、前記柱部（２１０）を制止するための複数の制止片（１１０）を備える、請求項１又は２に記載の雌型ボタン。
【請求項４】
前記第１位置は、前記回転軸（ＡＸ）を周囲する周方向において１箇所のみ在り、前記第２位置は、前記周方向において１箇所のみ在る、請求項１乃至３のいずれか一項に記載の雌型ボタン。
【請求項５】
前記回転子（１４０）は、前記回転軸（ＡＸ）を周囲する周方向において隣り合う各制止片（１１０）の端部から構成される凹部（１１０ｄ）に嵌合する嵌合突起（１４２）を有する請求項３に記載の雌型ボタン。
【請求項６】
前記嵌合突起（１４２）は、前記第１位置に向かう前記回転子（１４０）の回転に際して前記回転子（１４０）が前記第１位置に到達する前に前記弾性部材（１２０）を径方向外側に押圧する、請求項５に記載の雌型ボタン。
【請求項７】
前記制止片（１１０）は、少なくとも一つの係合凸部（１１９）を有し、
前記弾性部材（１２０）は、前記係合凸部（１１９）が嵌合する少なくとも一つの係合凹部（１２９）を有する、請求項１乃至６のいずれか一項に記載の雌型ボタン。
【請求項８】
前記隆起部（１７０）は、前記係合凹部（１２９）に隣接して設けられる、請求項７に記載の雌型ボタン。
【請求項９】
前記弾性部材（１２０）は、前記回転軸（ＡＸ）を周囲する周方向に延び、前記非ロック状態において前記制止片（１１０）の径方向外側への変位を許容するべく前記回転軸（ＡＸ）の径方向において薄肉化された薄肉部（１２８）を有する、請求項１乃至８のいずれか一項に記載の雌型ボタン。
【請求項１０】
前記少なくとも一つの制止片（１１０）として、前記柱部（２１０）を制止するための一対の制止片（１１０）を備える、請求項１乃至９のいずれか一項に記載の雌型ボタン。
【請求項１１】
前記回転軸（ＡＸ）を周囲する周方向において隣り合う各制止片（１１０）の端部と前記回転子（１４０）が嵌合する、請求項１０に記載の雌型ボタン。
【請求項１２】
前記一対の制止片（１１０）は、前記一対の制止片（１１０）が結合した環状部材の分割により生じたものである、請求項１０又は１１に記載の雌型ボタン。
【請求項１３】
請求項１乃至１２のいずれか一項に記載の雌型ボタン（１００）と、
前記雌型ボタンの前記制止片（１１０）により制止される前記柱部（２１０）を有する雄型ボタン（２００）を備えるボタンの組み合わせ品。
【発明の詳細な説明】
【技術分野】
【０００１】
本開示は、雌型ボタン、及び雌型ボタンと雄型ボタンの組み合わせ品に関する。
【背景技術】
【０００２】
特許文献１の図１７は、同じ文献の明細書の段落００８５に記述のように、凸部７０ｍ５が凹部６０ｍ５に嵌合し、ロック感覚が得られることを説示する。
【先行技術文献】
【特許文献】
【０００３】
【特許文献１】国際公開第２０１３／１２１６５０号
【発明の概要】
【発明が解決しようとする課題】
【０００４】
雌型ボタンに対する雄型ボタンの柱部の挿入の有無に関わらず常にロック感覚を与えることは、雌型ボタンと雄型ボタンが結合していないにも関わらず雌型ボタンと雄型ボタンが結合したと誤認識してしまうおそれがある。
【課題を解決するための手段】
【０００５】
本開示の一態様に係る雌型ボタンは、回転子（１４０）が第１位置の時、雄型ボタン（２００）の柱部（２１０）の挿脱が許容される非ロック状態にあり、前記回転子（１４０）が第２位置の時、前記雄型ボタン（２００）の柱部（２１０）の挿脱が許容されないロック状態にある雌型ボタン（１００）であって、
前記雄型ボタン（２００）の柱部（２１０）を制止するための少なくとも一つの制止片（１１０）にして、前記回転子（１４０）が前記第１位置の時、前記回転子（１４０）の回転軸（ＡＸ）の径方向外側への前記制止片（１１０）の変位が許容され、前記回転子（１４０）が前記第２位置の時、前記回転子（１４０）の回転軸（ＡＸ）の径方向外側への前記制止片（１１０）の変位が阻止される、少なくとも一つの制止片（１１０）と、
前記回転子（１４０）の回転軸（ＡＸ）に関して前記少なくとも一つの制止片（１１０）よりも径方向外側に配される少なくとも一つの弾性部材（１２０）を備え、
前記第２位置に向かう前記回転子（１４０）の回転に際して前記回転子（１４０）が前記第２位置に到達する前に前記回転軸（ＡＸ）に向かう前記制止片（１１０）の変位を生じさせる隆起部（１７０）が前記制止片（１１０）又は前記弾性部材（１２０）に設けられ、前述の回転軸（ＡＸ）に向かう前記制止片（１１０）の変位が前記柱部（２１０）により阻止されるならば前記回転子（１４０）の回転抵抗が高められる。
【０００６】
幾つかの実施形態においては、前記第１位置に向かう前記回転子（１４０）の回転に際して前記回転子（１４０）が前記第１位置に到達する前に前記回転子（１４０）の回転抵抗が高められる。
【０００７】
幾つかの実施形態においては、前記第１位置は、前記回転軸（ＡＸ）を周囲する周方向において１箇所のみ在り、前記第２位置は、前記周方向において１箇所のみ在る。
【０００８】
幾つかの実施形態においては、前記少なくとも一つの制止片（１１０）として、前記柱部（２１０）を制止するための複数の制止片（１１０）を備える。
【０００９】
幾つかの実施形態においては、前記回転子（１４０）は、前記回転軸（ＡＸ）を周囲する周方向において隣り合う各制止片（１１０）の端部から構成される凹部（１１０ｄ）に嵌合する嵌合突起（１４２）を有する。
【００１０】
幾つかの実施形態においては、前記嵌合突起（１４２）は、前記第１位置に向かう前記回転子（１４０）の回転に際して前記回転子（１４０）が前記第１位置に到達する前に前記弾性部材（１２０）を径方向外側に押圧する。
【００１１】
幾つかの実施形態においては、前記制止片（１１０）は、少なくとも一つの係合凸部（１１９）を有し、
前記弾性部材（１２０）は、前記係合凸部（１１９）が嵌合する少なくとも一つの係合凹部（１２９）を有する。
【００１２】
幾つかの実施形態においては、前記隆起部（１７０）は、前記係合凹部（１２９）に隣接して設けられる。
【００１３】
幾つかの実施形態においては、前記弾性部材（１２０）は、前記回転軸（ＡＸ）を周囲する周方向に延び、前記非ロック状態において前記制止片（１１０）の径方向外側への変位を許容するべく前記回転軸（ＡＸ）の径方向において薄肉化された薄肉部（１２８）を有する。
【００１４】
幾つかの実施形態においては、前記弾性部材（１２０）は、樹脂バネである。
【００１５】
幾つかの実施形態においては、前記少なくとも一つの制止片（１１０）として、前記柱部（２１０）を制止するための一対の制止片（１１０）を備える。
【００１６】
幾つかの実施形態においては、前記回転軸（ＡＸ）を周囲する周方向において隣り合う各制止片（１１０）の端部と前記回転子（１４０）が嵌合する。
【００１７】
幾つかの実施形態においては、前記一対の制止片（１１０）は、前記一対の制止片（１１０）が結合した環状部材の分割により生じたものである。
【００１８】
本開示の一態様に係るボタンの組み合わせ品は、上記いずれかに記載の雌型ボタン（１００）と、
前記雌型ボタンの前記制止片（１１０）により制止される前記柱部（２１０）を有する雄型ボタン（２００）を備える。
【発明の効果】
【００１９】
本開示の一態様によれば、雌型ボタンと雄型ボタンが結合していないにも関わらず雌型ボタンと雄型ボタンが結合したと誤認識するおそれが低減される。本開示は、誤認を低減する他の手段とも併用を排除するものではない。
【図面の簡単な説明】
【００２０】
【図１】本開示の非限定の一態様に係る非ロック状態の雌型ボタンの概略的な断面図である。回転子が第１位置にあり、雄型ボタンの柱部の挿脱が許容される。図１は、図３のＩ−Ｉに沿う概略的な断面図である。
【図２】本開示の非限定の一態様に係るロック状態の雌型ボタンの概略的な断面図である。回転子が第２位置にあり、雄型ボタンの柱部の挿脱が許容されない。図２は、図３のＩＩ−ＩＩに沿う概略的な断面図である。
【図３】本開示の非限定の一態様に係る非ロック状態の雌型ボタンにおいて制止片と弾性部材の位置関係を示す模式図である。弾性部材は、回転子の回転軸から制止片よりも径方向外側に配される。弾性部材は、制止片の径方向外側への変位を許容する。
【図４】本開示の非限定の一態様に係るロック状態の雌型ボタンにおいて制止片と弾性部材の位置関係を示す模式図である。弾性部材は、制止片の径方向外側への変位を阻止する。
【図５】本開示の非限定の一態様に係る雌型ボタンと組み合わせて用いられる雄型ボタンの概略的な断面図である。
【図６】雄型ボタンの生地への取り付け方法に関する参考図である。
【図７】本開示の非限定の一態様に係る雌型ボタンに含まれる制止片の概略斜視図である。雌型ボタンは、少なくとも一つの制止片として、柱部を制止するための一対の制止片を有する。一対の制止片は、一対の制止片が結合した環状部材の分割により生じたものである。
【図８】本開示の非限定の一態様に係る雌型ボタンに含まれる弾性部材の概略斜視図である。弾性部材は、樹脂バネである。弾性部材は、回転軸ＡＸを周囲する周方向に延び、非ロック状態において制止片の径方向外側への変位を許容するべく回転軸ＡＸの径方向において薄肉化された薄肉部を有する。
【図９】本開示の非限定の一態様に係る雌型ボタンに含まれる回転子の概略的な斜視図である。回転子の下部が斜視され、回転子の下部に設けられた制止片や弾性部材との係合構造が示される。
【図１０】本開示の非限定の一態様に係る雌型ボタンに含まれる回転子の概略的な下面正面図である。
【図１１】本開示の非限定の一態様に係る雌型ボタンにおいて第２位置に向かう回転子の回転に際して回転子が第２位置に到達する前に弾性部材に設けられた径方向内側に隆起した隆起部により回転軸に向けて制止片が押動されることを示す模式図である。なお、回転子が第２位置にある時、雌型ボタンはロック状態である。
【図１２】本開示の非限定の一態様に係る雌型ボタンにおいて第２位置に向かう回転子の回転に際して回転子が第２位置に到達する前に弾性部材に設けられた径方向内側に隆起した隆起部により回転軸に向けて制止片が押動されるが、この制止片の変位が雄型ボタンの柱部により阻止され、結果として、回転子の回転抵抗が高められることを示す模式図である。
【図１３】本開示の非限定の一態様に係る非ロック状態の雌型ボタンにおいて回転子に設けられた下向き突起と弾性部材の位置関係を示す模式図である。下向き突起は、回転軸ＡＸを周囲する周方向において隣り合う各制止片の端部から構成される上向き凹部に嵌合する。
【図１４】本開示の非限定の一態様に係るロック状態の雌型ボタンにおいて回転子に設けられた下向き突起と弾性部材の位置関係を示す模式図である。
【図１５】本開示の非限定の一態様に係る雌型ボタンにおいて第１位置に向かう回転子の回転に際して回転子が第１位置に到達する前に下向き突起が弾性部材を回転軸の径方向外側に押圧することを示す模式図である。なお、回転子が第１位置にある時、雌型ボタンは非ロック状態である。
【図１６】本開示の非限定の別態様に係る非ロック状態の雌型ボタンにおいて、弾性部材に設けられる隆起部が径方向外側に隆起したことを示す模式図である。回転子の回転に応じて制止片及び弾性部材が回転軸回りの周方向に動かされる。弾性部材は、金属又は樹脂製の板バネである。制止片及び弾性部材を収容する収容部材の内壁には径方向内側に突出する係合凸部が設けられる。
【図１７】図１６の雌型ボタンのロック状態を示す模式図である。
【図１８】図１６の雌型ボタンにおいて、第２位置に向かう回転子の回転に際して回転子が第２位置に到達する前に弾性部材に設けられた径方向外側に隆起した隆起部により回転軸に向けて制止片が押動されることを示す模式図である。なお、回転子が第２位置にある時、雌型ボタンはロック状態である。
【図１９】図１６の雌型ボタンの概略的な上面図である。
【図２０】図１９のＩＩＸ−ＩＩＸに沿う雌型ボタンの概略的な断面図である。
【図２１】図１６の雌型ボタンの弾性部材の概略斜視図である。
【図２２】図１６の雌型ボタンの制止片の概略上面図である。
【図２３】図２２のＸ２３−Ｘ２３に沿う制止片の概略断面図である。
【図２４】本開示の非限定の更なる別態様に係るロック状態の雌型ボタンにおいて、隆起部が制止片に設けられ、径方向外側に隆起したことを示す模式図である。回転子の回転に応じて制止片が回転軸回りの周方向に動かされる。弾性部材は、金属又は樹脂製の板バネであり、回転子の回転に応じて回転軸回りに動かない。制止片及び弾性部材を収容する収容部材の内壁には径方向内側に突出する係合凸部が設けられる。
【発明を実施するための形態】
【００２１】
以下、図１乃至図２４を参照しつつ、本発明の非限定の実施形態例について説明する。開示の１以上の実施形態例及び実施形態例に包含される各特徴は、個々に独立したものではない。当業者は、過剰説明を要せず、各実施形態例及び／又は各特徴を組み合わせることができる。また、当業者は、この組み合わせによる相乗効果も理解可能である。実施形態例間の重複説明は、原則的に省略する。参照図面は、発明の記述を主たる目的とするものであり、作図の便宜のために簡略化されている場合がある。
【００２２】
一つの装置又は方法に関して記述される複数の特徴は、特徴の組み合わせとして理解される他、他の特徴とは独立した個別の特徴として理解される。個別の特徴は、開示された一つの装置又は方法に限られず、不開示の他の装置又は方法においても通用するものと理解される。個別の特徴は、他の１つ以上の別の特徴との組み合わせとしても理解される。特徴の全組合せを列挙することは、当業者には冗長であり、省略される。本明細書においては、個別の特徴は、「幾つかの実施形態において」、「幾つかの場合において」、「幾つかの例において」といった表現によって他の記述と明示的に区別され得る。
【００２３】
以下の記述においては回転子１４０の回転軸ＡＸに対して平行な方向が上下方向として参照される。上下方向は、鉛直方向に一致する必要はない。径方向は、以下の記述の大部分において回転軸ＡＸを基準として理解される。径方向内側は、回転軸ＡＸに直交する平面において回転軸ＡＸに向かう方向である。径方向外側は、回転軸ＡＸに直交する平面において回転軸ＡＸから離れる方向である。
【００２４】
図１は、非ロック状態の雌型ボタン１００の概略的な断面図である。回転子１４０が第１位置にあり、雄型ボタン２００の柱部２１０の挿脱が許容される。図１は、図３のＩ−Ｉに沿う概略的な断面図である。図２は、ロック状態の雌型ボタン１００の概略的な断面図である。回転子１４０が第２位置にあり、雄型ボタン２００の柱部２１０の挿脱が許容されない。図２は、図３のＩＩ−ＩＩに沿う概略的な断面図である。図３は、非ロック状態の雌型ボタン１００において制止片１１０と弾性部材１２０の位置関係を示す模式図である。弾性部材１２０は、回転子１４０の回転軸ＡＸから制止片１１０よりも径方向外側に配される。弾性部材１２０は、制止片１１０の径方向外側への変位を許容する。図４は、ロック状態の雌型ボタン１００において制止片１１０と弾性部材１２０の位置関係を示す模式図である。弾性部材１２０は、制止片１１０の径方向外側への変位を阻止する。図５は、雌型ボタン１００と組み合わせて用いられる雄型ボタン２００の概略的な断面図である。図６は、雄型ボタン２００の生地１０への取り付け方法に関する参考図である。
【００２５】
雌型ボタン１００は、複数のパーツから構築され、様々な形状や大きさを有し得る。回転子１４０を第１位置と第２位置の間で切り替えることにより雌型ボタン１００を非ロック状態とロック状態の間で切り替えることができる。幾つかの場合、回転軸ＡＸを周囲する周方向において、第１位置が１箇所のみ在り、第２位置が１箇所のみ在るが、必ずしもこの限りではない。雌型ボタン１００が非ロック状態の時、雌型ボタン１００への雄型ボタン２００（図５及び図６参照）の柱部２１０の挿入が可能であり、また、雌型ボタン１００から雄型ボタン２００の柱部２１０を抜き出すことが可能である。雌型ボタン１００がロック状態の時、雌型ボタン１００への雄型ボタン２００の柱部２１０の挿入が許容されず、また、雌型ボタン１００から雄型ボタン２００の柱部２１０を抜き出すことが許容されない。かかる雌型ボタン１００の採用により、様々な分野において様々な効果が見出され得る。例えば、介護分野において痴呆症の要介護者が衣服を勝手に脱いでしまうことが抑制される。例えば、鞄類や袋類が開いてしまうことが抑制され、物品の落下が抑制され、又は、防犯性が高められる。この他にも様々な用途において様々な効果が得られよう。
【００２６】
雄型ボタン２００は、図５に示すように、柱部２１０と基部２２０を有し得る。柱部２１０は、首部２１１と頭部２１２を有する。頭部２１２は、首部２１１よりも拡径された部分であり、径方向外側に膨出した膨出部２１３を有する。基部２２０は、生地１０に対する取り付けを確保するための部分である。図６は、雄型ボタン２００が、下側部材２０１と上側部材２０２の組み合わせから構築される例を示す。下側部材２０１と上側部材２０２の間に生地１０が挟まれることで生地１０に対する雄型ボタン２００の取り付けが達成される。
【００２７】
雌型ボタン１００は、図１及び図２に示すように、一対の制止片１１０、弾性部材１２０、収容部材１３０、回転子１４０、及びキャップ１５０を有し得る。必ずしもこの限りではないが、回転子１４０の回転を容易化するためにキャップ１５０が設けられる。キャップ１５０を手で回すことにより回転子１４０が回転軸ＡＸ回りに回転される。キャップ１５０が回転子１４０に対して空転してしまうことをより確実に阻止するため、回転軸ＡＸから径方向外側に離れた位置のキャップ１５０の下面に凸状の回転止め部１５０ｍが設けられる。凸状の回転止め部１５０ｍが嵌合する凹状の回転止め部が回転子１４０の上面に設けられる。凹状の回転止め部がキャップ１５０に設けられ、凸状の回転止め部が回転子１４０に設けられる形態も想定される。キャップ１５０は、回転子１４０に嵌合及び／又は接着により固着され、回転子１４０と一体化され得る。
【００２８】
キャップ１５０は、幾つかの場合、本体部１５１と外周部１５２を有する。本体部１５１と外周部１５２が、同一又は、異なる材料から成り得る。例えば、本体部１５１が金属製であり、外周部１５２が樹脂製である。外周部１５２に指先が当たる時の冷感が抑制される。外周部１５２と指先の間に生じる摩擦が高められ、キャップ１５０、ひいては回転子１４０の回転が円滑化され得る。本体部１５１は円板状部材であり、外周部１５２が環状部材である。本体部１５１が環状部材である例も想定される。外周部１５２にはその周方向に沿って凸凹が連続的又は断続的に設けられ、外周部１５２の外面上で指先が滑ってしまうことが抑制され得る。キャップ１５０が省略される形態も予期される。
【００２９】
幾つかの場合、キャップ１５０の回転が収容部材１３０により支持される。キャップ１５０は、後述の収容部材１３０の第３金属部材１３７の上板１３７ａに接触する。キャップ１５０の回転が上板１３７ａにより支持され、キャップ１５０の回転が安定化し得る。幾つかの場合、キャップ１５０の外周部１５２は、生地１０に向かって垂下する垂下部１５２ｒを有する。キャップ１５０が生地１０から捲られることが抑制される。
【００３０】
収容部材１３０は、少なくとも一対の制止片１１０と、弾性部材１２０を収容し、図示例を含む幾つかの場合、回転子１４０を更に収容する。幾つかの場合、収容部材１３０により生地１０に対する雌型ボタン１００の取り付けも確保される。収容部材１３０は、雄型ボタン２００の柱部２１０が挿脱される開口ＯＰ５を有する。開口ＯＰ５は、雄型ボタン２００の柱部２１０の頭部２１２の最大径以上の径を有する正円形状を有し得る。図示例を含む幾つかの場合、収容部材１３０は、合計３つの第１乃至第３金属部材１３１，１３４，１３７から構成されるが、必ずしもこれに限られるものではない。
【００３１】
第１金属部材１３１は、収容部材１３０の筒状本体である。第１金属部材１３１は、雄型ボタン２００の柱部２１０が通過する開口ＯＰ５が設けられた底部１３１ａと、底部１３１ａの外周から上方に延びる周壁１３１ｂと、周壁１３１ｂの上端において外側に巻かれた丸縁１３１ｃを有する。図２乃至図４から分かるように、底部１３１ａと周壁１３１ｂの結合部には弾性部材１２０の位置決め凹部に嵌合する位置決め凸部１３２が設けられ、これにより、第１金属部材１３１上における弾性部材１２０の位置決めが達成される。２つの位置決め凸部１３２が回転軸ＡＸに関して対称に設けられるが、１つ或いは２以上の位置決め凸部が設けられる別例も想定される。
【００３２】
第２金属部材１３４は、第１金属部材１３１を生地１０に対して取り付けるための部材である。第３金属部材１３７は、第１金属部材１３１の筒状本体を上方から閉鎖する部材であり、また第１金属部材１３１を生地１０に対して取り付けるための部材である。第２金属部材１３４は、第１金属部材１３１の周壁１３１ｂに沿って延びる筒状の壁部１３４ａと、壁部１３４ａの上端において径方向外側に巻かれた丸縁１３４ｂと、壁部１３４ａの下端において回転軸ＡＸから径方向外側に延びる環状の下板１３４ｃを有する。第３金属部材１３７は、第１金属部材１３１の丸縁１３１ｃ上に配される環状の上板１３７ａと、上板１３７ａの外周端から径方向外側に巻かれた曲げ縁１３７ｂを有する。上板１３７ａの回転軸ＡＸ寄りの内側部分が回転子１４０上に配される。第１金属部材１３１の底部１３１ａと第３金属部材１３７の上板１３７ａの間で制止片１１０、弾性部材１２０、及び回転子１４０が保持され、制止片１１０、弾性部材１２０、及び回転子１４０が収容部材１３０内に収容される。回転子１４０は、第３金属部材１３７の上板１３７ａから突出する突出上部１４０ｉを有する。上板１３７ａに設けられた正円状の開口に突出上部１４０ｉが嵌合し、回転子１４０の回転が安定化される。
【００３３】
図示例を含む幾つかの場合、生地１０に対して金属片１５が植え付けられる。金属片１５が第３金属部材１３７の曲げ縁１３７ｂと第２金属部材１３４の下板１３４ｃの間で挟まれ、生地１０に対する収容部材１３０の取り付けが強化される。
【００３４】
図１及び図２では、塑性加工後の第１乃至第３金属部材１３１，１３４，１３７が示される。雌型ボタン１００の製造方法について非限定の一例として次の製造方法が挙げられる。第１金属部材１３１の周壁１３１ｂの上端は塑性加工前に鋭利であり、生地１０を貫通し、その後、塑性加工されて丸縁１３１ｃが形成される。第２金属部材１３４の壁部１３４ａの上端は塑性加工前に鋭利であり、生地１０を貫通し、その後、塑性加工されて丸縁１３４ｂが形成される。第１金属部材１３１の丸縁１３１ｃと第２金属部材１３４の丸縁１３４ｂが同時に形成され得る。第１金属部材１３１と第２金属部材１３４を生地１０に対して取り付けた後、第１金属部材１３１内に制止片１１０、弾性部材１２０、及び回転子１４０を入れる。続いて、第３金属部材１３７を回転子１４０上に配置し、第３金属部材１３７に曲げ縁１３７ｂを形成する。最後に、回転子１４０に対してキャップ１５０を取り付ける。このようにして雌型ボタン１００が製造され得る。制止片１１０として一対の制止片１１０が用いられる場合、一対の制止片１１０が環状を為すように結合した未分割の環状部材が第１金属部材１３１内に配置され、その後、第１金属部材１３１内でパンチ具により環状部材が一対の制止片１１０に分割される。
【００３５】
制止片１１０は、雄型ボタン２００の柱部２１０を制止するための部材である。雌型ボタン１００においては、回転子１４０が第１位置の時（図１及び図３参照）、回転子１４０の制止片１１０の径方向外側への変位が許容され、回転子１４０が第２位置の時（図２及び図４参照）、制止片１１０の径方向外側への変位が阻止される。
【００３６】
弾性部材１２０は、回転子１４０の回転軸ＡＸに関して制止片１１０よりも径方向外側に配される。収容部材１３０内において弾性部材１２０が制止片１１０よりも径方向外側に配されることにより、柱部２１０の頭部２１２により回転軸ＡＸから離れる方向に動かされた制止片１１０が弾性部材１２０により回転軸ＡＸに近づく方向に戻されることが促進され得る。
【００３７】
限定の意図無く、図７乃至図１０を参照して制止片１１０、弾性部材１２０、及び回転子１４０について更に詳細に記述する。図７は、雌型ボタン１００に含まれる制止片１１０の概略斜視図である。雌型ボタン１００は、少なくとも一つの制止片１１０として、柱部２１０を制止するための一対の制止片１１０を有する。必ずしもこの限りではないが、一対の制止片１１０は、一対の制止片１１０が結合した環状部材の分割により生じたものである。制止片１１０が環状部材の分割により生じたか否かは、制止片１１０の破断された端部を見れば一目瞭然であろう。一対の制止片１１０の一方のみが径方向において可動に設けられる形態も想定される。図８は、雌型ボタン１００に含まれる弾性部材１２０の概略斜視図である。弾性部材１２０は、樹脂バネである。弾性部材１２０は、回転軸ＡＸを周囲する周方向に延び、非ロック状態において制止片１１０の径方向外側への変位を許容するべく回転軸ＡＸの径方向において薄肉化された薄肉部１２８を有する。図９は、雌型ボタン１００に含まれる回転子１４０の概略的な斜視図である。回転子１４０の下部が斜視され、回転子１４０の下部に設けられた制止片１１０や弾性部材１２０との係合構造が示される。図１０は、雌型ボタン１００に含まれる回転子１４０の概略的な下面正面図である。
【００３８】
制止片１１０は、幾つかの場合、回転子１４０の回転軸ＡＸを周囲する周方向に延びる。制止片１１０は、第１端部１１１と第２端部１１２の間を弧状に延びる。制止片１１０は、雄型ボタン２００の柱部２１０の頭部２１２を支持する支持面１１４を有する。支持面１１４は、僅かにへこんだ面であり得る。制止片１１０は、少なくとも一つの第１上向き突起１１８を有する。幾つかの場合、一対の制止片１１０の各制止片１１０が少なくとも一つの第１上向き突起１１８を有する。第１上向き突起１１８が回転子１４０の溝１４８（図９又は図１０参照）に嵌合する。制止片１１０の第１上向き突起１１８が制止片１１０の周方向長さの半分の位置に設けられる。第１上向き突起１１８と溝１４８の嵌合により回転子１４０と制止片１１０の連動、すなわち、回転子１４０の回転による制止片１１０の周方向移動が確保される。
【００３９】
制止片１１０の第１端部１１１と第２端部１１２は、各々、上下方向において薄肉化されている。第１及び第２端部１１１，１１２の各上面は、制止片１１０の第１端部１１１と第２端部１１２の間を延びる中間部１１３の上面から段下げされている。第１端部１１１と中間部１１３の間には段差部１１５が設けられ、第２端部１１２と中間部１１３の間には段差部１１５が設けられる。回転軸ＡＸを周囲する周方向において隣り合う各制止片１１０の端部１１１，１１２により上向き凹部１１０ｄが構成される。この上向き凹部１１０ｄには回転子１４０の下向き突起１４２が嵌合する。下向き突起１４２は、上向き凹部１１０ｄに嵌合する嵌合突起である。上向き凹部１１０ｄと下向き突起１４２の嵌合により、回転子１４０の回転に伴う制止片１１０の周方向移動が安定化される。幾つかの場合、回転子１４０の回転に際して回転子１４０の下向き突起１４２が段差部１１５、詳細には、その上下方向に延びる段差面１１５ｆを押圧する。
【００４０】
各制止片１１０は、金属又は樹脂部材であり得る。各制止片１１０は、ダイキャスト又は射出成形品であり得る。
【００４１】
幾つかの場合、弾性部材１２０は、回転子１４０の回転軸ＡＸを周囲する周方向に延びる。弾性部材１２０は、制止片１１０を周囲する環状部材である。弾性部材１２０は、１カ所に隙間が形成された又は１カ所で分断された環状部材である。弾性部材１２０は、第１端部１２１と第２端部１２２の間を周方向沿いに延びる。弾性部材１２０は、少なくとも一つの第２上向き突起１２７を有する。図示例を含む幾つかの場合、複数の第２上向き突起１２７が（回転軸ＡＸに関して）対称に設けられる。第２上向き突起１２７の一方が第１端部１２１寄りに設けられる。第２上向き突起１２７は、第２端部１２２寄りに設けられない。第２上向き突起１２７が回転子１４０の通路１４７（図９又は図１０参照）に嵌合する。通路１４７の周方向長に応じた分だけ回転子１４０の回転が許容される。
【００４２】
弾性部材１２０は、雌型ボタン１００がロック状態の時、制止片１１０の径方向外側への変位を阻止するべく回転軸ＡＸの径方向において厚肉化された厚肉部１２６を有する。弾性部材１２０は、雌型ボタン１００が非ロック状態の時、制止片１１０の径方向外側への変位を許容するべく回転軸ＡＸの径方向において薄肉化された薄肉部１２８を有する。弾性部材１２０の周方向の異なる位置において１以上の厚肉部１２６と１以上の薄肉部１２８が設けられる。
【００４３】
複数（一対）の制止片１１０に対応して複数（一対）の厚肉部１２６が設けられる。複数（一対）の制止片１１０に対応して複数（一対）の薄肉部１２８が設けられる。弾性部材１２０の外周面と内周面が周方向沿いに延びるに応じて互いに離間し、これにより、厚肉部１２６が形成され得る。弾性部材１２０の外周面と内周面が周方向沿いに延びるに応じて互いに接近し、これにより、薄肉部１２８が形成され得る。厚肉部１２６の上面に第２上向き突起１２７が設けられる。厚肉部１２６の下面及び外周面に収容部材１３０の位置決め凸部１３２が嵌合する位置決め凹部が設けられる。
【００４４】
図示例を含む幾つかの場合、回転子１４０は、制止片１１０の第１上向き突起１１８が嵌合する少なくとも一つの溝１４８と、雄型ボタン２００の柱部２１０の頭部２１２を収容する収容部１４０ｇを有する。一例では、溝１４８は、収容部１４０ｇの収容空間に連通しており、収容部１４０ｇの収容空間から径方向外側に延びる。別例では、溝１４８は、収容部１４０ｇの収容空間に対して空間連通せず、両者の間に壁部が設けられる。溝１４８と収容空間の空間連通は、雌型ボタン１００の小型化を促進し得る。一対の制止片１１０の各制止片１１０の第１上向き突起１１８に対応して一対の溝１４８が（回転軸ＡＸに関して）対称に設けられ得る。３つ以上の制止片１１０が設けられる場合、３以上の溝１４８が設けられ得る。
【００４５】
回転子１４０は、必ずしもこの限りではないが、幾つかの場合、回転軸ＡＸを周囲する周方向において隣り合う各制止片１１０の端部１１１，１１２により構成される凹部１１０ｄに嵌合する下向き突起１４２を有する。この点の効果は上述したとおりである。幾つかの場合、下向き突起１４２は、周方向で隣接する２つの溝１４８の中間に設けられる。換言すれば、溝１４８は、周方向で隣接する２つの下向き突起１４２の中間に設けられる。
【００４６】
限定の意図なく、より詳細に回転子１４０の構造について記述する。回転子１４０は、回転軸ＡＸ沿いに延びる開口ＯＰ６が設けられた環状基部１４１と、環状基部１４１の下面に設けられた複数の弧状壁１４４と、環状基部１４１の下面に設けられた複数の停止部１４５を有する。環状基部１４１は、環状ではなく円板状に形成され得、従って、単に基部と呼ばれ得る。弧状壁１４４は、回転軸ＡＸを周囲する周方向に延びる。複数（２つ）の弧状壁１４４によって雄型ボタン２００の柱部２１０の頭部２１２（の上部）を収容する収容部１４０ｇが構築される。弧状壁１４４の下面には、下向き突起１４２が設けられる。周方向で隣接する弧状壁１４４の間には制止片１１０の第１上向き突起１１８が嵌合する溝１４８が設けられる。
【００４７】
回転子１４０と各制止片１１０が組み合わされる時、弧状壁１４４は、制止片１１０の第１上向き突起１１８の間を延びる。弧状壁１４４の径方向外側には、周方向に延びる通路１４７が設けられる。通路１４７には弾性部材１２０の第２上向き突起１２７が嵌合する。通路１４７の周方向長に基づいて回転子１４０の回転範囲が定められる。通路１４７には溝１４８が空間連通し、これにより、雌型ボタン１００の小型化が促進され得る。停止部１４５は、弧状壁１４４の径方向外側に配され、また、周方向において通路１４７に隣接して配される。停止部１４５は、弾性部材１２０の第２上向き突起１２７に衝突する部分であり、回転子１４０の回転限界を定める。停止部１４５が省略され、通路１４７が周方向で環状に連続する形態も想定される。弾性部材１２０の第２上向き突起１２７が省略され、通路１４７が省略される形態も想定される。
【００４８】
幾つかの場合、制止片１１０は、少なくとも一つの係合凸部１１９を有し、弾性部材１２０は、係合凸部１１９が嵌合する少なくとも一つの係合凹部１２９を有する。幾つかの場合、係合凸部１１９は、径方向外側に突出した部分であり、係合凹部１２９は、径方向外側に凹んだ部分であり得る。雌型ボタン１００がロック状態の時、係合凸部１１９と係合凹部１２９が嵌合し、これにより、ロック状態が簡単に解除されることが抑制される。幾つかの場合、弾性部材１２０には一対の係合凹部１２９が設けられ、回転軸ＡＸに対称に位置され、また形状付けられる。
【００４９】
本実施形態においては、第２位置に向かう回転子１４０の回転に際して回転子１４０が第２位置に到達する前に回転軸ＡＸに向かう制止片１１０の変位を生じさせる隆起部１７０が弾性部材１２０に設けられる。回転軸ＡＸに向かう制止片１１０の変位が雄型ボタン２００の柱部２１０により阻止されるならば回転子１４０の回転抵抗が高められる。回転子１４０の回転抵抗が高められる場合、雌型ボタン１００がロック状態になったことを知らせるロック感覚を操作者に与えることができる。雄型ボタン２００の柱部２１０が雌型ボタン１００に適切に挿入されていない状態では、隆起部１７０に押される制止片１１０が径方向内側に逃げることができるため、回転子１４０の回転抵抗が高められず、ロック感覚を操作者に与えることができない。他方、雄型ボタン２００の柱部２１０が雌型ボタン１００に適切に挿入されている場合、隆起部１７０に起因した制止片１１０の変位が雄型ボタン２００の柱部２１０により阻止され、回転子１４０の回転抵抗が高められ、回転子１４０の回転に要求される力が増加する。これにより、ロック感覚が操作者に与えられる。雌型ボタン１００に対して雄型ボタン２００の柱部２１０が挿入されていない時にロック感覚を与えることが回避される。雌型ボタン１００と雄型ボタン２００が結合していないにも関わらず雌型ボタン１００と雄型ボタン２００が結合したと誤認識させるおそれが抑制される。回転抵抗は、回転子１４０を周方向に回転する際に受ける抵抗である。回転抵抗が高められる時、回転抵抗が高められる前よりも、回転子１４０の回転に要する力が大きくなる。回転抵抗が低くなる時、回転抵抗が低くなる前よりも、回転子１４０の回転に要する力が小さくなる。回転抵抗は、回転子１４０の回転に要する力で読み替えることができる。
【００５０】
必ずしもこの限りではないが、隆起部１７０は、径方向内側に隆起した部分である。隆起部１７０は、制止片１１０の係合凸部１１９に接触し、係合凸部１１９を径方向内側に押す。隆起部１７０は、弾性部材１２０に設けられる。隆起部１７０は、弾性部材１２０の厚肉部１２６に設けられる。隆起部１７０は、周方向において係合凹部１２９に隣接して設けられる。幾つかの場合、径方向内側に隆起した少なくとも一対の隆起部１７０が対向して設けられる。
【００５１】
隆起部１７０は、幾つかの場合、回転軸ＡＸに向かって径方向内側に隆起し得る。回転軸ＡＸを周囲する周方向において、隆起部１７０と回転軸ＡＸ間の間隔が徐々に変化し得る。例えば、周方向において隆起部１７０の頂点に近づくに応じて、隆起部１７０と回転軸ＡＸの間隔が徐々に小さくなる。周方向において隆起部１７０の頂点から離れるに応じて、隆起部１７０と回転軸ＡＸの間隔が徐々に大きくなる。
【００５２】
図３に示す非ロック状態の時、係合凸部１１９が薄肉部１２８に隣接して配置される。制止片１１０の第１端部１１１が厚肉部１２６の径方向内側に隣接して配置される。制止片１１０の第２端部１１２が厚肉部１２６の径方向内側に隣接して配置される。柱部２１０により径方向外側に押動される制止片１１０は、薄肉部１２８を径方向外側に押動させる。薄肉部１２８が収容部材１３０の内壁面に衝突する時、制止片１１０が回転軸ＡＸから十分に離れており、柱部２１０の頭部２１２が制止片１１０の間を通過することができる。弾性部材１２０により制止片１１０が径方向内側に押され、柱部２１０の頭部２１２が制止片１１０の支持面１１４上に載置される。柱部２１０の頭部２１２の上部が回転子１４０の収容部１４０ｇに収容される。なお、図３に示すように、一対の制止片１１０は、楕円形状の開口ＯＰ７を画定するように設けられる。柱部２１０の頭部２１２の上面視形状は正円である。制止片１１０の径方向外側への動きがなければ、頭部２１２は、制止片１１０の間を通過することができない。
【００５３】
図４に示すロック状態の時、係合凸部１１９と係合凹部１２９が嵌合している。制止片１１０の第１端部１１１が薄肉部１２８の径方向内側に隣接して配置される。制止片１１０の第２端部１１２が薄肉部１２８の径方向内側に隣接して配置される。ロック状態の雌型ボタン１００から雄型ボタン２００の柱部２１０を抜き出そうとしても、柱部２１０の頭部２１２が制止片１１０により制止され、雌型ボタン１００から雄型ボタン２００の柱部２１０を抜き出すことが阻止される。弾性部材１２０の厚肉部１２６のために制止片１１０に許容される径方向外側への変位量が僅かである。
【００５４】
図１１は、雌型ボタン１００において第２位置に向かう回転子１４０の回転に際して回転子１４０が第２位置に到達する前に弾性部材１２０に設けられた径方向内側に隆起した隆起部１７０により回転軸ＡＸに向けて制止片１１０が押動されることを示す模式図である。回転子１４０が第２位置にある時、雌型ボタン１００はロック状態である。図１２は、雌型ボタン１００において第２位置に向かう回転子１４０の回転に際して回転子１４０が第２位置に到達する前に弾性部材１２０に設けられた径方向内側に隆起した隆起部１７０により回転軸ＡＸに向けて制止片が押動されるが、この制止片１１０の変位が雄型ボタン２００の柱部２１０により阻止され、結果として、回転子１４０の回転抵抗が高められることを示す模式図である。
【００５５】
図１１の時、隆起部１７０により押動される制止片１１０が径方向内側に逃げることができ、回転子１４０の回転抵抗が高められず、ロック感覚が操作者に与えられない。図１２の時、隆起部１７０により押動される制止片１１０が柱部２１０により径方向内側に逃げることができず、回転子１４０の回転抵抗が高められ、ロック感覚が操作者に与えられる。
【００５６】
図１３は、非ロック状態の雌型ボタン１００において回転子１４０に設けられた下向き突起１４２と弾性部材１２０の位置関係を示す模式図である。図１４は、ロック状態の雌型ボタン１００において回転子１４０に設けられた下向き突起１４２と弾性部材の位置関係を示す模式図である。図１５は、雌型ボタン１００において第１位置に向かう回転子１４０の回転に際して回転子１４０が第１位置に到達する前に下向き突起１４２が弾性部材１２０を回転軸ＡＸの径方向外側に押圧することを示す模式図である。なお、回転子１４０が第１位置にある時、雌型ボタン１００は非ロック状態である。
【００５７】
幾つかの場合、第１位置に向かう回転子１４０の回転に際して回転子１４０が第１位置に到達する前に回転子１４０の回転抵抗が高められる。回転子１４０を第１位置に向けて回転させる際に回転子１４０の回転抵抗を高めることにより非ロック位置を操作者に伝達することができ、雌型ボタン１００の利便性が高められる。
【００５８】
幾つかの場合、回転子１４０の下向き突起１４２は、第１位置に向かう回転子１４０の回転に際して回転子１４０が第１位置に到達する前に回転軸ＡＸの径方向外側に弾性部材１２０を押圧する。回転子１４０と弾性部材１２０といった既存のパーツを用いて回転子１４０の非ロック位置を操作者に伝達することができる。
【００５９】
回転子１４０を第２位置から第１位置に戻す時、下向き突起１４２は、弾性部材１２０の端部１２１，１２２を通過する。下向き突起１４２が弾性部材１２０の端部１２１，１２２の径方向内側を通過する時、下向き突起１４２が弾性部材１２０の端部１２１，１２２を径方向外側に押圧する。これにより回転子１４０の回転抵抗が高められ、回転子１４０の非ロック位置を操作者に伝達することができる。
【００６０】
幾つかの場合、弾性部材１２０の第１端部１２１に径方向内側に膨出した膨出部１２１ｂが設けられる。回転子１４０が第１位置に戻る時、回転子１４０の下向き突起１４２が弾性部材１２０の第１端部１２１の膨出部１２１ｂを径方向外側に押圧する。下向き突起１４２が膨出部１２１ｂを通過した後、弾性部材１２０の第１端部１２１が径方向内側の初期位置に復帰し得る。
【００６１】
冒頭で述べたように図示例には複数の個別の特徴が包含されており、各特徴が独立した一つの特徴として理解され得る。第１位置に向かう回転子１４０の回転に際して回転子１４０が第１位置に到達する前に回転子１４０の回転抵抗が高められることは、柱部２１０が非挿入の時にロック感覚を与えないことの追加として理解される他、これとは独立した発明として理解される余地がある。他の個別の特徴についても同様である。なお、隆起部１７０は、弾性部材１２０と一体又は別体であり得る。
【００６２】
続いて、以下、隆起部１７０が弾性部材１２０に径方向外側に隆起して設けられる別例について記述する。図１６は、非ロック状態の雌型ボタン１００において、弾性部材１２０に設けられる隆起部１７０が径方向外側に隆起したことを示す模式図である。回転子１４０の回転に応じて制止片１１０及び弾性部材１２０が回転軸ＡＸ回りの周方向に動かされる。弾性部材１２０は、金属又は樹脂製の板バネである。制止片１１０及び弾性部材１２０を収容する収容部材１３０の内壁には径方向内側に突出する係合凸部１３１ｆが設けられる。図１７は、図１６の雌型ボタンのロック状態を示す模式図である。図１８は、図１６の雌型ボタン１００において、第２位置に向かう回転子１４０の回転に際して回転子１４０が第２位置に到達する前に弾性部材１２０に設けられた径方向外側に隆起した隆起部１７０により回転軸ＡＸに向けて制止片が押動されることを示す模式図である。なお、回転子１４０が第２位置にある時、雌型ボタン１００はロック状態である。図１９は、図１６の雌型ボタンの概略的な上面図である。図２０は、図１９のＩＩＸ−ＩＩＸに沿う雌型ボタンの概略的な断面図である。図２１は、図１６の雌型ボタンの概略的な断面図である。図２１は、図１６の雌型ボタンの弾性部材の概略斜視図である。図２２は、図１６の雌型ボタンの制止片の概略上面図である。図２３は、図２２のＸ２３−Ｘ２３に沿う制止片の概略断面図である。
【００６３】
図１６乃至図２３から明らかなように、隆起部１７０が径方向外側に隆起して設けられる場合も隆起部１７０が径方向内側に隆起して設けられる場合と同様の効果が得られる。特に図１６乃至図１８から分かるように、第２位置に向かう回転子１４０の回転に際して回転子１４０が第２位置に到達する前に回転軸ＡＸに向かう制止片１１０の変位を生じさせる隆起部１７０が弾性部材１２０に設けられる。回転軸ＡＸに向かう制止片１１０の変位が雄型ボタン２００の柱部２１０により阻止されるならば回転子１４０の回転抵抗が高められる。
【００６４】
幾つかの場合、隆起部１７０が弾性部材１２０の外周面に設けられる。幾つかの場合、一対の隆起部１７０が弾性部材１２０の外周面に設けられ、一対の隆起部１７０により係合凹部１７０ｆが構成される。ロック状態の時、一対の隆起部１７０から構成される係合凹部１７０ｆに収容部材１３０の内壁面に設けられた係合凸部１３１ｆが係合する。このようにしてロック状態が簡単に解除されることが抑制される。
【００６５】
幾つかの場合、弾性部材１２０が板バネ、例えば、金属製の板バネである。収容部材１３０内に収容される前の板バネは、図２１に示す直線状であり得る。収容部材１３０内に板バネが収容されると、板バネは、弧状に湾曲される。弾性部材１２０は、制止片１１０に対して直接的又は間接的に結合され、又は結合されない。制止片１１０の上向き突起１１８と弾性部材１２０の上向き突起１２７’が回転子１４０の溝に嵌合され得る。回転子１４０の回転により制止片１１０及び弾性部材１２０が周方向に動かされ得る。回転子１４０の上面には治具、例えば、マイナスドライバが嵌め合わされる凹部が設けられ得る。回転子１４０は、治具により回転される。図１６乃至図２３から分かるように、制止片１１０や弾性部材１２０の各構成や両者の関係は様々に変更され得る。隆起部１７０は、金属部分又は樹脂部分であり得る。隆起部１７０は、弾性部材１２０と一体又は別体であり得る。
【００６６】
続いて、以下、隆起部１７０が制止片１１０に設けられる別例について記述する。図２４は、ロック状態の雌型ボタン１００において、隆起部１７０が制止片１１０に設けられ、径方向外側に隆起したことを示す模式図である。回転子１４０の回転に応じて制止片１１０が回転軸ＡＸ回りの周方向に動かされる。弾性部材１２０は、金属又は樹脂製の板バネであり、回転子１４０の回転に応じて回転軸ＡＸ回りに動かない。
【００６７】
図２４から明らかなように、隆起部１７０が制止片１１０に設けられる場合も隆起部１７０が弾性部材１２０に設けられる場合と同様の効果が得られる。図２４から分かるように、第２位置に向かう回転子１４０の回転に際して回転子１４０が第２位置に到達する前に回転軸ＡＸに向かう制止片１１０の変位を生じさせる隆起部１７０が制止片１１０に設けられる。回転軸ＡＸに向かう制止片１１０の変位が雄型ボタン２００の柱部２１０により阻止されるならば回転子１４０の回転抵抗が高められる。
【００６８】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。
【符号の説明】
【００６９】
１００            雌型ボタン
２００            雄型ボタン
２１０            柱部
２１１            首部
２１２            頭部
１１０            制止片
１２０            弾性部材
１３０            収容部材
１４０            回転子
１７０            隆起部
【図１】
2018158023.tif 000003
【図２】
2018158023.tif 000004
【図３】
2018158023.tif 000005
【図４】
2018158023.tif 000006
【図５】
2018158023.tif 000007
【図６】
2018158023.tif 000008
【図７】
2018158023.tif 000009
【図８】
2018158023.tif 000010
【図９】
2018158023.tif 000011
【図１０】
2018158023.tif 000012
【図１１】
2018158023.tif 000013
【図１２】
2018158023.tif 000014
【図１３】
2018158023.tif 000015
【図１４】
2018158023.tif 000016
【図１５】
2018158023.tif 000017
【図１６】
2018158023.tif 000018
【図１７】
2018158023.tif 000019
【図１８】
2018158023.tif 000020
【図１９】
2018158023.tif 000021
【図２０】
2018158023.tif 000022
【図２１】
2018158023.tif 000023
【図２２】
2018158023.tif 000024
【図２３】
2018158023.tif 000025
【図２４】
2018158023.tif 000026